(57)【特許請求の範囲】
【請求項１】
導光板の端面から導入した光を片面から導出するエッジライト方式の照明装置において、光源として発光色が白色の白色点光源と発光色が橙色の橙色点光源を備えると共にこれら点光源を導光板の端面の長手方向に並設し、導光板の発光色が白色になるように白色点光源のみを発光させる状態と、導光板の発光色が橙色になるように橙色点光源のみを発光させる状態と、導光板の発光色が白色と橙色の中間色になるように、白色点光源及び橙色点光源を発光させて両点光源から発する光が混光する状態とに切り替える発光光源選択手段を設けて成ることを特徴とする面発光装置。
【請求項２】
前記発光光源選択手段として、前記白色点光源のみを発光させる状態と、前記橙色点光源のみを発光させる状態と、前記白色点光源及び橙色点光源を発光させる状態とを、手動で変更するための操作部を設けて成ることを特徴とする請求項１に記載の面発光装置。
【請求項３】
前記発光光源選択手段として、前記白色点光源のみを発光させる状態と、前記橙色点光源のみを発光させる状態と、前記白色点光源及び橙色点光源を発光させる状態とを、時刻に応じて自動で変更する制御手段を備えて成ることを特徴とする請求項１に記載の面発光装置。
【発明の詳細な説明】
【技術分野】
【０００１】
本発明は導光板の端面から導入した光を片面から導出するエッジライト方式の面発光装置に関する。
【背景技術】
【０００２】
従来から屋内や屋外において表示、演出、明かりを目的として、建物の壁や天井等に設置されるエッジライト方式の面発光装置が知られている。例えば特許文献１に示すエッジライト方式の面発光装置は、導光板と、導光板の端面に沿って設けた蛍光ランプを備えており、該蛍光ランプから導光板の端面に亘って光を照射し、該導光板の端面から導入された光を導光板の片面から導出して導光板の略全体を発光させるものである。
【０００３】
しかし、上記特許文献１に示す面発光装置は蛍光ランプを１つだけ備えたものであるため、導光板の発光色は蛍光ランプの発光色である１色に限られてしまい、使用者の好みや演出、日々の生活、生体リズム等に合わせて導光板の発光色を変更することができない。
【特許文献１】特開２００１−２３６８０９号公報
【発明の開示】
【発明が解決しようとする課題】
【０００４】
本発明は上記従来の問題点に鑑みてなされたものであって、簡単な構成により低コストで使用者の好みや演出、日々の生活、生体リズム等に合わせて導光板の発光色を変更できる面発光装置を提供することを課題とする。
【課題を解決するための手段】
【０００５】
上記課題を解決するために本発明に係る面発光装置は、導光板１の端面から導入した光を片面から導出するエッジライト方式の照明装置において、光源として発光色が白色の白色点光源５ａと発光色が橙色の橙色点光源５ｂを備えると共にこれら点光源５ａ、５ｂを導光板１の端面の長手方向に並設し、導光板１の発光色が白色になるように白色点光源５ａのみを発光させる状態と、導光板１の発光色が橙色になるように橙色点光源５ｂのみを発光させる状態と、導光板１の発光色が白色と橙色の中間色になるように、白色点光源５ａ及び橙色点光源５ｂを発光させて両点光源５ａ、５ｂから発する光が混光する状態とに切り替える発光光源選択手段を設けて成ることを特徴とする。このような構成を有することで、発光光源選択手段により、白色点光源５ａのみを発光して導光板１を白色に発光させたり、白色点光源５ａ及び橙色点光源５ｂの両者を発光して導光板１を電球色に発光させたり、橙色点光源５ｂのみを発光して導光板１を橙色に発光させたりできる。
【０００７】
また、請求項２は請求項１において、前記発光光源選択手段として、前記白色点光源５ａのみを発光させる状態と、前記橙色点光源５ｂのみを発光させる状態と、前記白色点光源５ａ及び橙色点光源５ｂを発光させる状態とを、手動で変更するための操作部８を設けて成ることを特徴とする。これにより操作部８を操作して導光板１の発光色を変更できる。
【０００８】
また、請求項３は請求項１において、前記発光光源選択手段として、前記白色点光源５ａのみを発光させる状態と、前記橙色点光源５ｂのみを発光させる状態と、前記白色点光源５ａ及び橙色点光源５ｂを発光させる状態とを、時刻に応じて自動で変更する制御手段を備えて成ることを特徴とする。これにより制御手段によって時刻に応じて導光板１の発光色を変更できる。
【発明の効果】
【０００９】
請求項１に係る発明では、発光色が白色の白色点光源と発光色が橙色の橙色点光源を備えると共にこれら点光源を導光板の端面の長手方向に並設するという簡易な構成により、白色点光源のみを発光して導光板を明るさ感があり朝及び昼のイメージを有する白色に発光させたり、白色点光源及び橙色点光源の両者を発光して導光板を温かみがあり上質感のある夜及び夕方のイメージを有する電球色に発光させたり、橙色点光源のみを発光して導光板を覚醒し難い橙色に発光させることができ、導光板の発光色を時間帯に応じた発光色に変更することができ、簡単な構成により低コストで使用者の好みや演出、日々の生活、生体リズム等に合わせて導光板の発光色を変更することが可能となる。
【００１１】
また請求項２に係る発明では、請求項１に係る発明の効果に加えて、操作部を操作して導光板の発光色を使用者に適した色に変更できる。
【００１２】
また請求項３に係る発明では、請求項１に係る発明の効果に加えて、制御手段により導光板の発光色を時刻に応じた色に変更できる。
【発明を実施するための最良の形態】
【００１３】
以下、本発明を添付図面に示す実施形態に基づいて説明する。本例の面発光装置は屋内又は屋外において表示や演出、明かりを目的として建物の壁等に設置されるものであって、例えば寝室等のリラックス空間を形成する部屋の壁に設置される。なお、面発光装置を壁に設置する場合、面発光装置を壁に埋設しても良いし、壁面に取り付けても良い。
【００１４】
図２に示すように、面発光装置は、反射板からなる光反射部２と、光反射部２の片面（厚み方向を向く一面）に沿って設けた導光板１と、光源として導光板１の端面（厚み方向と直交する方向を向く一面）の長手方向に複数並設した点光源５を備えている。
【００１５】
導光板１は矩形状に形成してあり、片面を光反射部２の反射面を構成する片面に取り付けてあり、該導光板１の一端面が入射面１ａとなり、光反射部２と反対側の片面が出射面１ｂとなっている。
【００１６】
また、上記のように導光板１の上端面を入射面１ａとした場合には導光板１の光源側が明るく発光しやすくなるため、これを考慮して本例の導光板１は、点光源５とは反対側の端面に行く程導光板１の出射面１ｂからの光の導出率が高くなるよう性状や形状等を変更したり、導光板１の出射面１ｂに導光印刷パターンを施す等し、これにより導光板１の出射面１ｂから均一に光を出射できるようにしている。
【００１７】
また、導光板１の出射面１ｂには木目柄等の柄模様を施した透光板からなる光透過部９を設けてあり、導光板１の出射面１ｂからの光を光透過部９を介して出射するようにしてある。なお、光透過部９を設けず、導光板１の出射面１ｂから出射された光を直接照明空間に照射するようにしても良い。
【００１８】
図１に示すように各点光源５は導光板１の入射面１ａを向くように導光板１の入射面１ａに対向する基板６に一列に並べて実装してあり、本発明の面発光装置はこれら点光源５として発光色が異なる点光源５を２種以上備えている。
【００１９】
図示例では上記点光源５として、白色の光を発する発光ダイオードからなる白色点光源５ａと、橙色の光を発する発光ダイオードからなる橙色点光源５ｂとからなる２種類の異なる色調の光を発する点光源５ａ、５ｂを備えている。
【００２０】
両点光源５ａ、５ｂは導光板１の入射面１ａの長手方向において交互に配置してあり、入射面１ａの長手方向の全長に対応する範囲に設けてある。図３に示すように白色点光源５ａのピッチａ及び橙色点光源５ｂのピッチｂは、各点光源５間の明るさムラを軽減し且つ合理的なコストを達成できる値に設定してある。ここでピッチａ及びピッチｂは同じ値であっても良いし、異なる値であっても良い。
【００２１】
上記のように点光源５ａ、５ｂを並設することで、導光板１の入射面１ａに対向する位置には、１個の白色点光源５ａと１個の橙色点光源５ｂとからなる点光源組７が導光板１の入射面１ａの長手方向に複数組設けられることとなる。なお、図２では各光源組７における白色点光源５ａ及び橙色点光源５ｂを入射面１ａの長手方向に一定の間隔ｃを介して設けたが、図４に示すように白色点光源５ａからの発光と橙色点光源５ｂからの発光とが充分に混ざるように各光源組７における白色点光源５ａ及び橙色点光源５ｂを隣接して設けても良い。
【００２２】
ここで面発光装置は上記全ての点光源５ａ、５ｂのうち任意の種類の点光源５を選択的に発光させる発光光源選択手段を備えている。本例の発光光源選択手段は発光させる点光源５を時刻に応じて自動で選択する制御手段からなり、制御手段は図示しないタイマー機能により決定される時刻に応じて以下の表１に示すように各光源組７の白色点光源５ａ及び橙色点光源５ｂの夫々の発光及び発光停止を自動的に切り替える。
【００２３】
【表１】
0004966145.tif 000002
【００２４】
即ち、制御手段は、一日を朝方及び昼の時間帯と夕方及び夜の時間帯と深夜の時間帯の３つの時間帯に区分し、朝及び昼の時間帯にあっては全ての白色点光源５ａを発光すると共に全ての橙色点光源５ｂの発光を停止し、夕方及び夜の時間帯にあっては全ての白色点光源５ａ及び橙色点光源５ｂを発光し、深夜の時間帯にあっては全ての白色点光源５ａの発光を停止すると共に全ての橙色点光源５ｂを発光するように設定してある。この結果、朝方及び昼の時間帯にあっては白色点光源５ａのみを発光して導光板１を色温度４０００ｋ程度の白色に発光させ、また、夕方及び夜の時間帯にあっては白色点光源５ａ及び橙色点光源５ｂを発光して両点光源５ａ、５ｂから発する光を混光し、これにより導光板１を色温度３０００ｋ程度の電球色（つまり白色と橙色を混光した中間色）に発光させ、また、深夜の時間帯にあっては橙色点光源５ｂのみを発光して導光板１を色温度２０００ｋ程度の橙色に発光させる。つまり、一日における太陽光の色温度は図５に示すように変化するものであるが、この太陽光の色温度の変化のイメージに合わせて導光板１の発光色を白色→電球色→橙色と順に変化させる。
【００２５】
上記面発光装置は導光板１の出射面１ａを照明対象となる室内に向けた状態で壁などに設置されるものであり、この面発光装置により照明を行うには、前述のように制御手段により各時間帯に応じて選択された点光源５を発光させる。これにより各点光源５からの光は導光板１の入射面１ａを介して導光板１に導入され、この後、導光板１の両面や光反射部２で反射しながら導光板１の内部を通って入射面１ａと反対側の端面に向かって進行すると共に、この際に導光板１の出射面１ｂから少しずつ光が漏出し、これにより導光板１の略全体が面状に発光する。
【００２６】
ここで、本例の面発光装置にあっては、光源として発光色が異なる２種類の点光源５ａ、５ｂを備えると共にこれら点光源５ａ、５ｂを導光板１の端面の長手方向に複数並設し、これら複数の点光源５ａ、５ｂのうち任意の点光源５を選択的に発光させる発光光源選択手段（制御手段）を設けたので、該発光光源選択手段により発光させる点光源５を選択して導光板１の発光色を任意の色に変更できる。具体的には、制御手段により時刻に応じて発光する点光源５を自動的に変更することで、朝及び昼においては白色点光源５ａのみを発光して導光板１を明るさ感があり朝及び昼のイメージを有する白色に発光させ、夕方及び夜においては白色点光源５ａ及び橙色点光源５ｂの両者を発光して導光板１を温かみがあり上質感のある夜及び夕方のイメージを有する電球色に発光させ、夜中においては橙色点光源５ｂのみを発光して導光板１を覚醒し難い橙色に発光させることができる。従って、太陽光の色温度の変化と略同様に導光板１の発光色を変更でき、例えば窓がない部屋に設置することで住人の生体リズムを整えるといったことが可能となる。また、光源として点光源５ａ、５ｂを複数並設するだけでこれを実現でき、面発光装置を簡単な構成とすると共にコストを抑えることができる。
【００２７】
なお、上記実施例における制御手段はタイマー機能で決定される時刻に応じて発光する点光源５を変更したが、カレンダー機能で決定される日時に応じて発光させる点光源５を変更しても良く、またこれら時刻に応じた制御だけではなく日付のみに応じて発光する点光源５を変更しても良いものとする。
【００２８】
また、上記実施例では発光光源選択手段として、発光させる点光源５を自動で選択する制御手段を設けたが、発光光源選択手段として発光させる点光源５を手動で選択するための操作部８を設けても良い。
【００２９】
図６（ａ）は操作部８を一つの操作スイッチ８ａで構成した例であり、操作スイッチ８ａを操作する毎に導光板１の発光色が白色→電球色→橙色→白色（以下、同様のサイクル）と順送りで変化するように発光させる点光源５を選択するものである。また、図６（ｂ）は操作部８を複数（図示例では３つ）の操作スイッチ８ａ１〜３で構成した例であり、操作スイッチ８ａ１を操作した場合には導光板１の発光色が白色、操作スイッチ８ａ２を操作した場合には導光板１の発光色が電球色、操作スイッチ８ａ３を操作した場合には導光板１の発光色が橙色となるように発光させる点光源５を変更するものである。なお、上記操作部８による導光板１の発光色の変更は制御手段により変更する場合と同様であり、つまり導光板１を白色に発光させる場合は全ての白色点光源５ａを発光すると共に全ての橙色点光源５ｂの発光を停止し、導光板１を電球色に発光させる場合は全ての白色点光源５ａ及び橙色点光源５ｂを発光し、導光板１を橙色に発光させる場合には全ての白色点光源５ａの発光を停止すると共に全ての橙色点光源５ｂを発光するものである。
【００３０】
上記のように発光光源選択手段として発光させる点光源５を手動で選択するための操作部８を設けることで、操作部８を操作して、使用者の好み、演出、日々の生活、生体リズム等に合わせて導光板１の発光色を変更できる。
【００３１】
なお、上記各実施例の面発光装置は光源として白色の光を発する白色点光源５ａと橙色の光を発する橙色点光源５ｂとの２種類の点光源５を備えたものであるが、発光色が異なる点光源を３種類以上備えたものであっても良い。また、上記各実施例では発光光源選択手段により選択された任意の種類の点光源５を全て発光するように設定したが、選択された任意の種類の点光源５のうち発光させる点光源５を選択できるようにする等、発光する点光源５の選択は適宜設計変更可能である。
【図面の簡単な説明】
【００３２】
【図１】本発明の実施の形態の一例を示すものであり、図は面発光装置の主要部の説明図である。
【図２】同上の面発光装置の説明図である。
【図３】同上の面発光装置の点光源の配列を示す説明図である。
【図４】他例の点光源の配列を示す説明図である。
【図５】１日における太陽光の色温度の変化を示すグラフである。
【図６】（ａ）は操作部の一例を示し、（ｂ）は操作部の他例を示す。
【符号の説明】
【００３３】
１  導光板
５ａ  白色点光源
５ｂ  橙色点光源
８  操作部
【図１】
0004966145.tif 000003
【図２】
0004966145.tif 000004
【図３】
0004966145.tif 000005
【図４】
0004966145.tif 000006
【図５】
0004966145.tif 000007
【図６】
0004966145.tif 000008